(57)【要約】      （修正有）【課題】エンジン停止と同時にヘッドライトを消灯させる自動車ヘッドライト消灯装置を提供する。【解決手段】自動車のエンジンキーの差し込み部分５に、接着して装着した装着具３にコード１の一端を取付け、そのコード１の他端をヘッドライト点滅用のスイッチの回転操作棒４に装着した装着具２に連結させる。【選択図】図３
0003164138.tif 000002
【実用新案登録請求の範囲】
【請求項１】
自動車のエンジンキーの差し込み部分（５）に、接着して装着した装着具（３）にコード（１）の一端を取付け、そのコード（１）の他端をヘッドライト点滅用のスイッチの回転操作棒（４）に装着した装着具（２）に連結させて、エンジンの停止操作とヘッドライトの消灯操作を当該コード（１）により連動し得るようにした自動車ヘッドライト消灯装置
【請求項２】
コード（１）をコード（１Ａ）とコード（１Ｂ）の２本に分割し、コード（１Ａ）の一端はヘッドライト点滅用のスイッチの回転操作棒（４）に装着した装着具（２）に連結させその他端には固定具（７）（図７）を装着し、コード（１Ｂ）の一端はエンジンキーの差し込み部分（５）に接着して装着した装着具（３）に取付けその他端には固定具（８）（図７）を装着し、その固定具（８）はコード（１Ａ）に装着した固定具（７）とコード（１Ａ）の自由な移動を一定範囲で限定するようにしたコード（１Ａ）とコード（１Ｂ）の２本に分割して連動させた自動車ヘッドライト消灯装置
【考案の詳細な説明】
【考案の詳細な説明】
【産業上の利用分野】
【０００１】  自動車の運転で、昼間トンネル等の通行でしばしばヘッドライトの消し忘れが生じ停車時も放置して、バッテリーの電気消失によりエンジンの起動が不可能となる極めて不便な状態が生じることがある。殊に山間部等でエンジンの起動不能が生じた場合等大変な事態になる。よってこのヘッドライト消灯装置でそのヘッドライトの消し忘れを防止することができる。
【背景技術】
【０００２】  自動車のヘッドライトの点滅は概ね手動での操作棒による回転切り替えスイッチになっており、現在の新車は明暗のセンサーにより或いは扉鍵を掛けることによってもヘッドライトが消え又は警報を発する仕組みがあるが、それ以前に製造された車はその殆どがその点滅回転切り替えスイッチの操作棒の手動操作によらないとヘッドライトは消せない仕組みになっている。
したがって昼間トンネル等でヘッドライトの点灯後しばしばヘッドライトの消し忘れが生じて、バッテリーがあがりエンジンが起動しない不便が生じている。
【考案が解決しようとする課題】
【０００３】  本考案はヘッドライトの消し忘れを防止するために、ヘッドライトの点滅用操作棒の消灯操作とエンジンキーの停止操作を連動させることで、ヘッドライトの消灯を忘れた場合に、エンジン停止と同時にヘッドライトが消灯することができるようにすることである。
【課題を解決するための手段】
【０００４】  ヘッドライトの点滅は、ハンドルポストに付設されたヘッドライトの点滅用の回転切り替えスイッチの操作棒により行うため、その操作棒の回転操作をエンジンキーを切る場合には同時にヘッドライトが消灯するよう当該操作棒を回転させるようにする必要があり、このためエンジンキーの差し込み部分に接着して装着した装着具にコードの一端を取付け、そのコードの他端をヘッドライトの点滅用の回転操作棒に当該操作棒が回転しうるように装着した装着具に連結して連動させることで、エンジンキーを切る場合に当該コードが引っ張られてヘッドライトの点滅用の回転切り替えスイッチの操作棒が消灯側に回転して消灯させることである。
【考案の構成】
【０００５】  ヘッドライト点滅用の回転切り替えスイッチの操作棒に当該操作棒（４）が回転しうるように装着した装着具（２）にコード（１）の一端を取り付け、その他端をエンジンキーの差し込み部分（５）に接着して装着した装着具（３）に取付けて、エンジンキーを切る場合に当該コード（１）が引っ張られてヘッドライトの点滅用の回転切り替えスイッチの操作棒（４）が消灯側に回転して消灯させることができるようにしたものである
【考案の効果】
【００１２】  これによりヘッドライトのスイッチの操作棒を手動操作して消灯することを忘れた場合でも、エンジン停止の際のエンジンキー操作の場合に同時に連動するコードによりヘッドライトの消灯が可能となり、バッテリーの消失を防止することができる。
【図面の簡単な説明】
【図１】  ヘッドライトの点滅回転切り替えスイッチの操作棒に装着したコードの一端と他端をエンジンキーの差し込み部分（５）に接着して装着した装着具（３）に取付けたエンジンキーのＯＮとヘッドライトＯＦの状態のヘッドライト消灯装置の平面図
【図２】  エンジンキーのＯＮとヘッドライトＯＦの状態のヘッドライト消灯装置の平面図
【図３】  ヘッドライトの点滅回転切り替えスイッチの操作棒に装着したコードの一端と他端をエンジンキーの差込み部分（５）に接着して装着した装着具（３）に取付けた自動車ヘッドライト消灯装置の断面図
【図４】  エンジンキーのＯＦとヘッドライトＯＦの状態の自動車ヘッドライト消灯装置の平面図
【図５】  エンジンキーのＯＮとヘッドライトＯＦの状態の自動車ヘッドライト消灯装置の平面図
【図６】  自動車ヘッドライト消灯装置のコードを２分割した部分の箇所図
【図７】  自動車ヘッドライト消灯装置のコードを２分割した部分の箇所詳細図
【符号の説明】１，自動車ヘッドライト消灯装置のコード
１Ａ，コードの一端をヘッドライトの点滅回転切り替えスイッチの操作棒に装着したコード
１Ｂ，コードの一端をエンジンキーの差し込み部分に装着したコード
２，ヘッドライトの点滅回転切り替えスイッチの操作棒に装着したコードの一端の装着部
３，エンジンキーの差し込み部分（５）に自動車ヘッドライト消灯装置のコードの一端を装着した装着部
４，ヘッドライトの点滅回転切り替えスイッチの操作棒
５，エンジンキーの差し込み部分
６，自動車のハンドル
７，コード１Ａに装着したコード移動範囲制限固定具
８，コード１Ｂに装着したコード１Ａの移動範囲制限固定具
【図１】
0003164138.tif 000003
【図２】
0003164138.tif 000004
【図３】
0003164138.tif 000005
【図４】
0003164138.tif 000006
【図５】
0003164138.tif 000007
【図６】
0003164138.tif 000008
【図７】
0003164138.tif 000009
【手続補正書】
【提出日】平成22年5月18日(2010.5.18)
【手続補正１】
【補正対象書類名】実用新案登録請求の範囲
【補正対象項目名】全文
【補正方法】変更
【補正の内容】
【実用新案登録請求の範囲】
【請求項１】
自動車のエンジンキーの差し込み部分（５）に、接着して装着した装着具（３）にコード（１）の一端を取付け、そのコード（１）の他端をヘッドライト点滅用のスイッチの回転操作棒（４）に装着した装着具（２）に連結させて、エンジンの停止操作とヘッドライトの消灯操作を当該コード（１）により連動し得るようにした自動車ヘッドライト消灯装置
【請求項２】
コード（１）をコード（１Ａ）とコード（１Ｂ）の２本に分割し、コード（１Ａ）の一端はヘッドライト点滅用スイッチの回転操作棒（４）に装着した装着具（２）に連結させその他端には固定具（７）（図７）を装着し、コード（１Ｂ）の一端はエンジンキーの差し込み部分（５）に接着して装着した装着具（３）に取付けその他端には形状を円筒形状にした固定具（８）（図７）を装着し、その固定具（８）には、コード（１Ａ）に装着した固定具（７）を固定具（８）の内部で自由に移動可能なように円形の構造として、固定具（８）の内部に入れ、更にその固定具（７）がその固定具（８）の内部の一定範囲で固定具（７）の自由な移動を可能とし且つ限定するように固定具（８）の一面を塞ぎその塞いだ面にはコード（１Ａ）を通す穴を開けた構造としてコード（１Ａ）を通し、そのコード（１Ａ）と、固定具（８）の一端に装着したコード（１Ｂ）とにより、コード（１Ａ）の一定範囲での自由な移動と又一定範囲以上ではコード（１Ａ）とコード（１Ｂ）を連動させるようにした、即ちエンジンキーＯＮの場合はヘッドライト点滅用スイッチの回転操作棒はＯＮ・ＯＦ自由に可能とし、エンジンキーＯＦの場合はヘッドライト点滅用スイッチの回転操作棒もＯＦとなるようにコード（１Ａ）とコード（１Ｂ）を連動させるようにした自動車ヘッドライト消灯装置
【手続補正書】
【提出日】平成22年8月23日(2010.8.23)
【手続補正１】
【補正対象書類名】実用新案登録請求の範囲
【補正対象項目名】全文
【補正方法】変更
【補正の内容】
【実用新案登録請求の範囲】
【請求項１】
自動車のエンジンキーの差し込み部分（５）に、接着して装着した装着具（３）にコード（１）の一端を取付け、そのコード（１）の他端をヘッドライト点滅用のスイッチの回転操作棒（４）に装着した装着具（２）に連結させて、エンジンの停止操作とヘッドライトの消灯操作を当該コード（１）により連動し得るようにした自動車ヘッドライト消灯装置
【請求項２】
コード（１）をコード（１Ａ）とコード（１Ｂ）の２本に分割し、コード（１Ａ）の一端はヘッドライト点滅用スイッチの回転操作棒（４）に装着した装着具（２）に連結させその他端には固定具（７）を装着し、コード（１Ｂ）の一端はエンジンキーの差し込み部分（５）に接着して装着した装着具（３）に取付けその他端には形状を円筒形状にした固定具（８）を装着し、その固定具（８）には、コード（１Ａ）に装着した固定具（７）を固定具（８）の内部で自由に移動可能なように円形の構造として、固定具（８）の内部に入れ、更にその固定具（７）がその固定具（８）の内部の一定範囲で固定具（７）の自由な移動を可能とし且つ限定するように固定具（８）の一面を塞ぎその塞いだ面にはコード（１Ａ）を通す穴を開けた構造としてコード（１Ａ）を通し、そのコード（１Ａ）と、固定具（８）の一端に装着したコード（１Ｂ）とにより、コード（１Ａ）の一定範囲での自由な移動と又一定範囲以上ではコード（１Ａ）とコード（１Ｂ）を連動させるようにした、即ちエンジンキーＯＮの場合はヘッドライト点滅用スイッチの回転操作棒はＯＮ・ＯＦＦ自由に可能とし、エンジンキーＯＦＦの場合はヘッドライト点滅用スイッチの回転操作棒もＯＦＦとなるようにコード（１Ａ）とコード（１Ｂ）を連動させるようにした自動車ヘッドライト消灯装置
【手続補正２】
【補正対象書類名】明細書
【補正対象項目名】００１２
【補正方法】変更
【補正の内容】
【００１２】
これによりヘッドライトのスイッチの操作棒を手動操作して消灯することを忘れた場合でも、エンジン停止の際のエンジンキー操作の場合に同時に連動するコードによりヘッドライトの消灯が可能となり、バッテリーの消失を防止することができる。
【図面の簡単な説明】
【図１】  ヘッドライトの点滅回転切り替えスイッチの操作棒に装着したコードの一端と他端をエンジンキーの差し込み部分（５）に接着して装着した装着具（３）に取付けたエンジンキーのＯＮとヘッドライトＯＦＦの状態のヘッドライト消灯装置の平面図
【図２】  エンジンキーのＯＮとヘッドライトＯＦＦの状態のヘッドライト消灯装置の平面図
【図３】  ヘッドライトの点滅回転切り替えスイッチの操作棒に装着したコードの一端と他端をエンジンキーの差込み部分（５）に接着して装着した装着具（３）に取付けた自動車ヘッドライト消灯装置の断面図
【図４】  エンジンキーのＯＦＦとヘッドライトＯＦＦの状態の自動車ヘッドライト消灯装置の平面図
【図５】  エンジンキーのＯＮとヘッドライトＯＦＦの状態の自動車ヘッドライト消灯装置の平面図
【図６】  自動車ヘッドライト消灯装置のコードを２分割した部分の箇所図
【図７】  自動車ヘッドライト消灯装置のコードを２分割した部分の箇所詳細図
【符号の説明】
１，自動車ヘッドライト消灯装置のコード
１Ａ，コードの一端をヘッドライトの点滅回転切り替えスイッチの操作棒に装着したコード
１Ｂ，コードの一端をエンジンキーの差し込み部分に装着したコード
２，ヘッドライトの点滅回転切り替えスイッチの操作棒に装着したコードの一端の装着部
３，エンジンキーの差し込み部分（５）に自動車ヘッドライト消灯装置のコードの一端を装着した装着部
４，ヘッドライトの点滅回転切り替えスイッチの操作棒
５，エンジンキーの差し込み部分
６，自動車のハンドル
７，コード１Ａに装着したコード移動範囲制限固定具
８，コード１Ｂに装着したコード１Ａの移動範囲制限固定具
【手続補正３】
【補正対象書類名】図面
【補正対象項目名】図１
【補正方法】変更
【補正の内容】
【図１】
0003164138.tif 000010
【手続補正４】
【補正対象書類名】図面
【補正対象項目名】図４
【補正方法】変更
【補正の内容】
【図４】
0003164138.tif 000011
【手続補正５】
【補正対象書類名】図面
【補正対象項目名】図５
【補正方法】変更
【補正の内容】
【図５】
0003164138.tif 000012